(57)【要約】【課題】本発明は、カメラハウジングの保護ガラスを洗浄するウォッシャー装置において、ウォッシャー液の噴射時には保護ガラスに正対する位置にノズルが進出して位置し、洗浄不要時にはカメラで撮影されない位置にノズルが退避して位置するウォッシャー装置を提供する。【解決手段】保護ガラス１６に対して退避位置にあるウォッシャーノズル２０にウォッシャー液が供給されると、ウォッシャー液の圧力が小径ロッド３４に作用し、小径ロッド３４が中径ロッド３２に対して上方向に伸びていく。そして、小径ロッド３４が伸びきると、中径ロッド３２が小径ロッド３４に引っ張られるので、中径ロッド３２が大径ロッド３０に対して上方向に伸びていく。これにより、ウォッシャーノズル２０の噴射孔３６が保護ガラス１６の略中央位置に位置し、保護ガラス１６に正対する。【選択図】　　　　図２
2004140523.tif 000002
【特許請求の範囲】
【請求項１】
カメラハウジングに取り付けられるとともに、該カメラハウジングに設けられた保護ガラスに向けてウォッシャー液を噴射するノズルを備えたウォッシャー装置において、
前記ウォッシャー装置の前記ノズルは、前記保護ガラスに正対する位置と前記カメラで撮影されない位置との間で進退移動されることを特徴とするウォッシャー装置。
【請求項２】
前記ウォッシャー装置の前記ノズルは、前記ウォッシャー液の圧力によって前記保護ガラスに正対する位置と前記カメラで撮影されない位置とに進退移動されることを特徴とする請求項１に記載のウォッシャー装置。
【請求項３】
前記ウォッシャー装置の前記ノズルは、前記ウォッシャー液の圧力が無くなると前記カメラで撮影されない位置に自重又は付勢手段による付勢力によって退避移動されることを特徴とする請求項２に記載のウォッシャー装置。
【発明の詳細な説明】
【０００１】
【発明の属する技術分野】
本発明は、雲台装置に搭載されるカメラハウジングに設けられたウォッシャー装置に関する。
【０００２】
【従来の技術】
テレビカメラが搭載される雲台装置は、テレビカメラを所望の方向に向けるためにテレビカメラをパン・チルト動作させる装置であるが、特にテレビカメラをビルの屋上等の屋外に設置する場合には、テレビカメラはカメラハウジングに収納されて雲台装置に搭載される。
【０００３】
カメラハウジングには、カメラの撮影レンズの前面に対応する位置に透明の保護ガラスが設けられるとともに、この保護ガラスを洗浄するウォッシャー装置のノズルやワイパ装置が設けられているものもある。
【０００４】
また、前記ウォッシャー装置のノズルは、テレビカメラの撮影時にノズルが撮影されないようにテレビカメラの撮影範囲外、すなわち、保護ガラスの外側に設けられている（例えば、特許文献１参照）。
【０００５】
【特許文献１】
特開２０００−１１１９９３号公報（第３頁　図２）
【０００６】
【発明が解決しようとする課題】
しかしながら、前記従来のウォッシャー装置は、保護ガラスの外側に設けられたノズルから保護ガラスに向けてウォッシャー液を斜めに噴射しているので、ウォッシャー液を保護ガラスに均一に噴射することが難しく、保護ガラスをきれいに洗浄することができないという欠点があった。
【０００７】
ノズルを保護ガラスに正対する位置に配置すれば、ウォッシャー液を保護ガラスに均一に噴射できるが、正対する位置にノズルを常に配置しておくと、被写体とは全く関係のないノズルが常に撮影されるという欠点があった。
【０００８】
本発明は、このような事情に鑑みてなされたもので、必要時には保護ガラスにウォッシャー液を均一に噴射することができるとともに不要時にはカメラで撮影されないノズルを備えたウォッシャー装置を提供することを目的とする。
【０００９】
【課題を解決するための手段】
本発明は、前記目的を達成するために、カメラハウジングに取り付けられるとともに、該カメラハウジングに設けられた保護ガラスに向けてウォッシャー液を噴射するノズルを備えたウォッシャー装置において、前記ウォッシャー装置の前記ノズルは、前記保護ガラスに正対する位置と前記カメラで撮影されない位置との間で進退移動されることを特徴とする。
【００１０】
請求項１に記載の発明によれば、ウォッシャー液の噴射時には保護ガラスに正対する位置にノズルが進出して位置する。また、洗浄しない時にはカメラで撮影されない位置にノズルが退避して位置する。ノズルの進退移動機構としては、伸縮機構、起伏機構を採用できる。これにより、本発明は、必要時には保護ガラスにウォッシャー液を均一に噴射することができるとともに不要時にはカメラで撮影されない位置にノズルが位置するウォッシャー装置を提供できる。
【００１１】
請求項２に記載の発明によれば、ウォッシャー装置のノズルは、ウォッシャー液の圧力によって保護ガラスに正対する位置とカメラで撮影されない位置とに進退移動されるので、ノズルを進退移動させるための専用の駆動機構を設けることなく、ノズルを前記双方の位置に自動で位置させることができる。
【００１２】
請求項３に記載の発明によれば、ウォッシャー装置のノズルは、ウォッシャー液の圧力が無くなるとカメラで撮影されない位置に自重又は付勢手段による付勢力によって退避移動するので、同様にノズルを進退移動させるための専用の駆動機構を設けることなく、ノズルを前記双方の位置に自動で位置させることができる。
【００１３】
【発明の実施の形態】
以下添付図面に従って本発明に係るウォッシャー装置の好ましい実施の形態について詳述する。
【００１４】
図１は、実施の形態のウォッシャー装置が適用された雲台装置の一例を示す斜視図である。同図に示す雲台装置１０は、テレビカメラ（不図示）が収納されたカメラハウジング１２と、前記テレビカメラをパン・チルト動作させる雲台本体１４とから構成される。カメラハウジング１２は、雲台本体１４の側部から水平方向に突設された、図１上で破線で示すチルト軸１５に片持ち支持されている。また、カメラハウジング１２の前面で、前記テレビカメラの撮影レンズに対抗する位置には、透明な保護ガラス１６が設けられている。更に、カメラハウジング１２の前面には、保護ガラス１６のワイパー装置１８及びウォッシャーノズル２０が配設されている。
【００１５】
雲台本体１４は、据付台２２上に固定されたパン軸２３によって支持されている。雲台本体１４は、ケーシング２４内にパン駆動機構とチルト駆動機構とが内蔵されている。パン駆動機構は、パン駆動用のモータと、該モータの回転駆動力をパン軸２３に伝達するウォームギアやベルト等の動力伝達機構とからなる。また、チルト駆動機構は、チルト駆動用のモータと、該モータの回転駆動力をチルト軸１５に伝達するウォームギアやベルト等の動力伝達機構とからなる。
【００１６】
パン駆動機構及びチルト駆動機構は、パン軸２３に設けられたコネクタ２５を介して接続される、不図示のリモコン装置によって遠隔制御される。すなわち、リモコン装置の例えばジョイスティックを操作すると、その操作に応じたコントロール信号が不図示の中継回路によって駆動信号に変換された後、パン駆動機構及びチルト駆動機構の各モータにそれぞれ加えられる。そして、各モータの回転駆動力が前記動力伝達機構を介してそれぞれパン軸２３、チルト軸１５に伝達することにより、カメラハウジング１２内に収納されているテレビカメラがカメラハウジング１２と共にパン・チルト動作する。
【００１７】
図１において符号２６は、ウォッシャー液が蓄えられたウォッシャータンクである。また、符号２８は、ウォッシャータンク２６からウォッシャーノズル２０にウォッシャー液を供給するためのチューブであり、このチューブ２８は、雲台本体１４のケーシング２４内に挿通されてウォッシャーノズル２０に接続されている。ウォッシャータンク２６は図示せぬ支持手段によって雲台装置１０の所定の位置に取り付けられ、また、ウォッシャータンク２６からチューブ２８にウォッシャー液を送液するポンプ（不図示）も所定の位置に取り付けられている。ウォッシャータンク２６に蓄えられているウォッシャー液は、リモコン装置からの指示に従って前記ポンプが駆動されることによりチューブ２８を介してウォッシャーノズル２０に供給され、保護ガラス１６に噴射される。
【００１８】
ウォッシャーノズル２０は、保護ガラス１６の下方に設けられ、この位置はテレビカメラで撮影されない位置である。また、ウォッシャーノズル２０は、図２に示すように筒状に形成された３本の大中小のロッド３０、３２、３４からなる伸縮自在な入れ子式のノズルであり、各々のロッド３０〜３４の中心軸が鉛直方向に沿うように、ウォッシャーノズル２０がカメラハウジング１２に取り付けられている。
【００１９】
チューブ２８は、大径ロッド３０の下部に接続され、チューブ２８から供給されたウォッシャー液は、大径ロッド３０に形成された破線で示す流路３１から、中径ロッド３２に形成された破線で示す流路３３、及び小径ロッド３４に形成された破線で示す流路３５を介して、小径ロッド３４の上部側面に形成された噴射孔３６から保護ガラス１６に向けて噴射される。この噴射孔３６は、保護ガラス１６に正対する位置に形成されている。
【００２０】
このように構成されたウォッシャーノズル２０によれば、図１に示した収縮状態のウォッシャーノズル２０に、ウォッシャー液がチューブ２８を介して供給されると、ウォッシャー液の圧力が小径ロッド３４に作用するので、小径ロッド３４が中径ロッド３２に対して上方向に伸びていく。そして、小径ロッド３４が伸びきると、中径ロッド３２が小径ロッド３４に引っ張られるので、中径ロッド３２が大径ロッド３０に対して上方向に伸びていく。
【００２１】
これにより、ウォッシャーノズル２０は、図２の如く中径ロッド３２及び小径ロッド３４が全長分伸びきった伸長状態となり、噴射孔３６が保護ガラス１６の略中央位置に位置し、保護ガラス１６に正対する。
【００２２】
したがって、実施の形態のウォッシャー装置によれば、ウォッシャー液の噴射時には保護ガラス１６に正対する位置にウォッシャーノズル２０が進出して位置するので、必要時には保護ガラス１６にウォッシャー液を均一に噴射することができる。
【００２３】
保護ガラス１６の洗浄が終了し、ウォッシャー液の供給を停止すると、ウォッシャーノズル２０は鉛直方向に設けられているので、中径ロッド３２及び小径ロッド３４が自身の自重で降下する。これにより、ウォッシャーノズル２０は図１に示した収縮状態に戻されるので、不要時にテレビカメラで撮影されることはない。
【００２４】
以上説明したように、実施の形態のウォッシャーノズル２０は、ウォッシャーノズル２０にウォッシャー液の圧力がかかることによって保護ガラス１６に正対する位置に進出移動し、ウォッシャー液の圧力が無くなるとテレビカメラで撮影されない位置に自重で退避移動するので、ウォッシャーノズル２０を進退移動させるための専用の駆動機構を設けることなく、ウォッシャーノズル２０の噴射孔３６を図１に示した退避位置と図２に示した進出位置とに自動で位置させることができる。
【００２５】
図３は、起伏自在に構成したウォッシャーノズル５０の例が示されている。
【００２６】
このウォッシャーノズル５０は管状に構成されるとともに、その先端部に破線で示す噴射孔５１が形成され、その基端部が可撓自在な蛇腹状の連結管５２を介してチューブ２８に連結されている。連結管５２は、固定部材５６によってカメラハウジング１２の前面に固定されている。
【００２７】
ウォッシャーノズル５０は、捩じりコイルばね（付勢手段）５８の付勢力によって、実線で示す退避位置、すなわち、保護ガラス１６の右側方の位置に位置されている。捩じりコイルばね５８は、そのコイル部５８Ａがカメラハウジング１２に突設されたピン６０に嵌合されて位置決めされるとともに、一端部５８Ｂがウォッシャーノズル５０の基部に突設されたピン６２に係合され、他端部５８Ｃがカメラハウジング１２の前面に突設されたピン６４に係合されている。これにより、捩じりコイルばね５８の付勢力がピン６２を介してウォッシャーノズル５０に付与され、ウォッシャーノズル５０が前記退避位置に位置されている。
【００２８】
このように構成されたウォッシャーノズル５０によれば、実線で示した退避位置に位置しているウォッシャーノズル５０に、ウォッシャー液がチューブ２８を介して供給されると、ウォッシャー液の圧力が連結管５２に作用し、連結管５２が捩じりコイルばね５８の付勢力に抗して保護ガラス１６に向けて傾倒していく。そして、ウォッシャーノズル５０は、ウォッシャー液の圧力と捩じりコイルばね５８の付勢力とがつり合った、図３上で二点鎖線で示す進出位置に位置する。この時、噴射孔５１が保護ガラス１６の略中央位置に位置し、保護ガラス１６に正対する。
【００２９】
したがって、図３に示したウォッシャーノズル５０も同様に、ウォッシャー液の噴射時には保護ガラス１６に正対する位置に位置するので、必要時には保護ガラス１６にウォッシャー液を均一に噴射することができる。
【００３０】
保護ガラス１６の洗浄が終了し、ウォッシャー液の供給を停止すると、ウォッシャーノズル５０は捩じりコイルばね５８の付勢力によって図３に示した退避位置に戻され、テレビカメラで撮影されない位置に位置するので、不要時にテレビカメラで撮影されることはない。また、ウォッシャーノズル５０も同様に、ウォッシャーノズル５０を進退移動させるための専用の駆動機構を設けることなく、ウォッシャーノズル５０の噴射孔５１を図３上で実線で示した退避位置と二点鎖線で示した進出位置とに自動で位置させることができる。
【００３１】
捩じりコイルばね５８を利用せず、ノズル自身の弾性変形を利用した簡単なウォッシャー装置でも適用できる。この装置にれば、ウォッシャー液の圧力でノズルが弾性変形し、ノズルが保護ガラス１６に正対する位置に位置し、ウォッシャー液の圧力が無くなると、復元力でノズルがテレビカメラで撮影されない位置に位置する。
【００３２】
【発明の効果】
以上説明したように本発明に係るウォッシャー装置によれば、ウォッシャー液の噴射時には保護ガラスに正対する位置にノズルが進出して位置し、洗浄不要時にはカメラで撮影されない位置にノズルが退避して位置するので、必要時には保護ガラスにウォッシャー液を均一に噴射することができ、不要時にはカメラで撮影されない位置にノズルが位置するウォッシャー装置を提供できる。
【００３３】
また、本発明のウォッシャー装置のノズルは、ウォッシャー液の圧力によって保護ガラスに正対する位置に進出移動し、ウォッシャー液の圧力が無くなるとカメラで撮影されない位置に自重又は付勢手段による付勢力によって退避移動するので、ノズルを進退移動させるための専用の駆動機構を設けることなく、ノズルを前記双方の位置に自動で位置させることができる。
【図面の簡単な説明】
【図１】実施の形態のウォッシャー装置が設けられた雲台装置の斜視図
【図２】図１に示したウォッシャー装置のノズルが伸長した状態を示す図
【図３】起伏自在に構成されたウォッシャー装置のノズルの例を示す図
【符号の説明】
１０…雲台装置、１２…カメラハウジング、１４…雲台本体、１６…保護ガラス、１８…ワイパー装置、２０、５０…ウォッシャーノズル、２６…ウォッシャータンク、２８…チューブ、３０、３２、３４…ロッド、３６…噴射孔、５２…連結管、５８…捩じりコイルばね
【図１】
2004140523.tif 000003
【図２】
2004140523.tif 000004
【図３】
2004140523.tif 000005